(57)【要約】【課題】  簡単な操作で共有アプリケーションのウィンドウを設定すること。【解決手段】  ウィンドウ位置取得手段４２は、システムを構成する端末装置の表示画面上における共有対象アプリケーションウィンドウの位置情報を取得し、カーソル位置取得手段４３は、表示画面上におけるカーソルの位置情報を取得し、判定手段４４は、カーソル位置が共有対象アプリケーションウィンドウの配置領域の内部であるか否かを判断し、カーソル形状変更手段４５は、判定手段４４の判定結果に基づいてカーソルの形状を変更する。【選択図】        図２
2008146584.tif 000002
【特許請求の範囲】
【請求項１】
電子会議システムにおけるアプリケーション共有画面制御装置であって、
前記システムを構成する端末装置の表示画面上における共有対象アプリケーションウィンドウの位置情報を取得するウィンドウ位置取得手段と、
前記表示画面上におけるカーソルの位置情報を取得するカーソル位置取得手段と、
前記ウィンドウの位置情報と前記カーソルの位置情報に基づいて、カーソルの位置が前記共有対象アプリケーションウィンドウの領域の内部であるか否かを判断する判定手段と、
該判定手段の判定結果に基づいて前記カーソルの形状を変更するカーソル形状変更手段とを備えることを特徴とするアプリケーション共有画面制御装置。
【請求項２】
前記カーソルの位置は前記共有対象アプリケーションウィンドウの領域の内部であるとの前記判定結果に基づいて、該共有対象アプリケーションウィンドウの配置領域の内部に位置する前記カーソルをクリックすると、該共有対象アプリケーションウィンドウを共有アプリケーションウィンドウに設定する共有アプリケーション選択手段を更に備えることを特徴とするアプリケーション共有画面制御装置。
【請求項３】
前記共有アプリケーション選択手段が設定した前記共有アプリケーションウィンドウの特定情報を格納する共有アプリケーション管理部を更に備えることを特徴とするアプリケーション共有画面制御装置。
【請求項４】
前記ウィンドウ位置取得手段と、前記カーソル位置取得手段と、前記判定手段と、カーソル形状変更手段とを備えることを特徴とするアプリケーション共有画面制御プログラム。
【請求項５】
前記共有アプリケーション選択手段を更に備えることを特徴とする請求項４に記載のアプリケーション共有画面制御プログラム。
【請求項６】
請求項４または請求項５に記載のアプリケーション共有画面制御プログラムを搭載することを特徴とする通信端末装置。
【発明の詳細な説明】
【技術分野】
【０００１】
本発明は、電子会議システムにおけるアプリケーション共有画面の制御装置、アプリケーション共有画面制御プログラム、及び通信端末装置に関する。
【背景技術】
【０００２】
近年、複数の端末装置（通常パーソナルコンピュータ）をネットワークで接続し、利用者がそれぞれの端末装置を用い、ネットワークを介してリアルタイムで情報交換を行う電子会議システムが普及している。かかる電子会議システムでは、利用者が自己の端末装置上で実行中のアプリケーションをお互いにネットワークを介して提供し合う。各端末装置の表示画面上には共有アプリケーションのウィンドウが形成されている。更に、自己の端末装置のみで使用中の非共有アプリケーションのウィンドウも形成されている。その結果、端末装置の表示画面上に表示されるアプリケーションのウィンドウが共有アプリケーションのウィンドウであるか、非共有アプリケーションのウィンドウであるかを識別するための技術が必要になってくる。かかる技術の一例として端末装置の表示画面上に共有アプリケーションのウィンドウのみを表示するＡＰ（アプリケーション）共有表示領域を設け、該ＡＰ共有表示領域には共有アプリケーションのウィンドウのみを表示し、ＡＰ共有表示領域の外部に非共有アプリケーションのウィンドウを表示する技術も開示されている（特許文献１）。
【０００３】
この技術において、ネットワークを介して接続する端末装置Ａと端末装置Ｂとが共有アプリケーションのウィンドウを設定する場合の手順について説明する。
図５は、従来技術におけるＡＰ共有の手順説明図である。
図中（ａ）は、端末装置Ａの利用者がこれから開始する電子会議に用いる会議資料を選択した状態を表している。（ｂ）は、端末装置Ｂが上記会議資料を共有した状態を表している。（ｃ）は、端末装置Ａと端末装置Ｂとで会議資料を共有する手順の中で用いられる共有対象アプリケーションリストの一例を表している。
【０００４】
（ａ）において端末装置Ａの利用者は共有対象アプリケーションのウィンドウ５０１を端末装置Ｂと共用するために操作権５０２をクリックし、更にＡＰリスト５０３をクリックすると（ｃ）に示す画面が表示される。端末装置Ａの操作者は、会議資料のフォルダをクリックし、そのフォルダに保存されている共有対象アプリケーションのウィンドウ５０１に該当する会議資料を選択し、共有開始５０６をクリックする。その結果、（ｂ）に示すように端末装置ＢのＡＰ共有表示領域５０５には、（ａ）に表示されている共有対象アプリケーションのウィンドウ５０１と同様の会議資料が表示され、会議資料の共有が開始される。
【特許文献１】特開２０００−９９２３３号公報
【発明の開示】
【発明が解決しようとする課題】
【０００５】
図５の（ｃ）に示すように共有候補アプリケーションリストには、アプリケーションプログラム名、及び、現在開かれているドキュメントファイル名が表示されるが、ドキュメントファイルが利用者にとって識別しにくい名前であったり、同じアプリケーションで複数の異なるドキュメントファイルを開いている場合には、これから共有しようとしているアプリケーションをリストの中から探し出す操作は煩雑であった。本発明の目的は、これらの課題を解決し、簡単な操作で実行できるアプリケーション共有の操作を実現することである。
【課題を解決するための手段】
【０００６】
本発明は、電子会議システムにおけるアプリケーション共有画面制御装置であって、上記システムを構成する端末装置の表示画面上における共有対象アプリケーションウィンドウの位置情報を取得するウィンドウ位置取得手段と、上記表示画面上におけるカーソルの位置情報を取得するカーソル位置取得手段と、上記ウィンドウの位置情報と上記カーソルの位置情報に基づいて、上記カーソルの位置が上記共有対象アプリケーションウィンドウの領域の内部であるか否かを判断する判定手段と、該判定手段の判定結果に基づいて上記カーソルの形状を変更するカーソル形状変更手段とを備えることを主な特徴とする。
【発明の効果】
【０００７】
本発明の電子会議システムにおけるアプリケーション共有画面制御装置は、ウィンドウ位置取得手段と、カーソル位置取得手段と、カーソル形状変更手段とを備えるのでこれから共有しようとしているアプリケーションをリストの中から探し出す必要が無くなるので簡単な操作で共有アプリケーションのウィンドウを設定できるという効果を得る。
【発明を実施するための最良の形態】
【０００８】
以下に、本発明の一実施形態を図を用いて詳細に説明する。
【０００９】
（構成）の説明
図１は、本発明を適用した電子会議システムのシステム構成図である。
図に示すように、本発明を適用した電子会議システムは、端末装置１００と、端末装置２００と、端末装置３００とが、ネットワーク４００を介して接続されている。端末装置としては、パーソナルコンピュータ（ＰＣ）等の通信端末装置が用いられる。ここでは、一例として端末装置を３台に限定して記載してあるが、本発明は、この例に限定されるものではない。即ち、端末装置は複数台であっても良い。また、ネットワークは、通常、ＬＡＮ（ローカルエリアネットワーク）等の自家用回線が用いられるが、ときには公衆回線を介するものであっても良い。
【００１０】
次に端末装置の内容について以下に説明する。
図２は、端末装置の構成のブロック図である。
図に示すように、本発明が適用される端末装置１００は、インタフェース部１０と、データ入出力部２０と、共有アプリケーション管理部３０と、ウィンドウ表示制御部４０と、ＣＰＵ５０と、ＲＯＭ６０と、ＲＡＭ７０と、ＦＤＤ８０と、共通バス９０とを備える。
【００１１】
インタフェース部１０は、ネットワーク４００と端末装置１００とを接続するインタフェース機能を有する部分である。また、ネットワーク４００と端末装置１００との間で入出力信号のプロトコル変換を行う部分でもある。
【００１２】
データ入出力部２０は、マウス２１と、キーボードスイッチ２２と、表示手段２３とを有し、端末装置１００と利用者との間でマン・マシンインタフェース機能を分担する部分である。即ち、マウス２１と、キーボードスイッチ２２を用いて入力する利用者の意思を受け入れると共に、装置状態を表示手段２３に表示する部分である。
【００１３】
ここで、表示手段２３は、ＣＲＴ（陰極線表示装置）、液晶表示装置等である。表示手段２３に表示されるウィンドウの形態について図を用いて説明する。
図３は、本発明の表示手段の説明図である。
図中（ａ）は共有対象アプリケーション設定前の端末装置１００の表示状態を表し、（ｂ）は、端末装置２００において共有対象アプリケーションのウィンドウが設定された後の表示状態を表している。
【００１４】
図に示すように、（ａ）では、これから会議資料として共有化することを目的として利用者が選択した共有対象アプリケーションのウィンドウ２３−１が表示されている。また画面の上部には操作権を取得するための操作権ボタンＡ、共有開始を求める共有開始ボタンＢ、及び共有解除を求める共有解除ボタンＣが、（ａ）、（ｂ）とも表示されている。
【００１５】
この状態で、利用者が操作権ボタンＡをクリックして操作権を取得し、更に共有開始ボタンＢをクリックすると、（ｂ）では、ＡＰ共有表示領域２３−２が明示され、その領域内に（ａ）において共有対象アプリケーションのウィンドウ２３−１であった子ウィンドウが共有アプリケーションウィンドウ２３−３として表示される。
【００１６】
再度図２に戻って、共有アプリケーション管理部３０は、操作権管理手段３１と、共有アプリケーション管理手段３２と、ウィンドウ位置管理手段３３とを有し、電子会議に用いられる共有アプリケーションを特定するために必要な情報を格納するメモリである。
【００１７】
操作権管理手段３１は、後述するウィンドウ表示制御部４０の操作権取得手段を現在自己が有しているか否かを保持する部分である。ここで、操作権とは、ネットワーク４００に接続する他の端末装置に対してアプリケーションのウィンドウを変更（共有化を含む）させるための操作を実行する権限である。この部分は、操作権を有する状態（ＯＮ）と、有していない状態（ＯＦＦ）とを示すフラグで構成しても良い。
【００１８】
共有アプリケーション管理手段３２は、現在自己が有している共有アプリケーションの内容、例えば名称、該当する共有アプリケーションを共有設定した端末装置の名称、アドレス等を格納するメモリ領域である。また、該当するアプリケーションの履歴などをこのメモリ領域に一体として格納しても良い。
【００１９】
ウィンドウ位置管理手段３３は、上記共有アプリケーション管理手段３２に格納されている共有アプリケーションのウィンドウの位置情報を格納するメモリ領域である。
【００２０】
ウィンドウ表示制御部４０は、操作権取得手段４１と、ウィンドウ位置取得手段４２と、カーソル位置取得手段４３と、判定手段４４と、カーソル形状変更手段４５と、共有アプリケーション選択手段４６とを有し、表示手段２３に表示されるウィンドウを制御する部分である。
【００２１】
操作権取得手段４１は、操作者の意思に基づいてネットワーク４００に接続する他の端末装置に対して自己のアプリケーションのウィンドウを共有させる操作を実行する操作権を取得するための手段である。
【００２２】
ウィンドウ位置取得手段４２は、共有対象アプリケーションのウィンドウの位置情報を取得する手段である。
【００２３】
カーソル位置取得手段４３は、操作者の意思に基づいて移動されたカーソルの表示手段２３上での位置情報を取得する手段である。
【００２４】
判定手段４４は、操作者の意思に基づいて移動されたカーソルの位置情報と、ウィンドウ位置取得手段４２によって取得された共有対象アプリケーションのウィンドウの位置情報とを比較し、カーソルの位置が何れかの共有対象アプリケーションのウィンドウの配置領域に含まれているか否かを判定する手段である。
【００２５】
カーソル形状変更手段４５は、４４の判定結果に基づいて、ＲＯＭ６０に予め格納されている３種類のカーソル形状の１つを選択して表示手段２３上へ表示させるための手段である。尚、この３種類のカーソル形状については後に動作説明の項で説明するのでここでは説明を省略する。
【００２６】
共有アプリケーション選択手段４６は、カーソル位置が、共有対象アプリケーションのウィンドウの配置領域の内部であるとの判定結果に基づいて、該共有対象アプリケーションのウィンドウの配置領域の内部に位置するカーソルをクリックすると、該共有対象アプリケーションウィンドウを共有アプリケーションウィンドウに設定する手段である。
【００２７】
以上説明したウィンドウ表示制御部４０は、ＲＯＭ６０に予め格納されている所定の制御プログラムをＣＰＵ５０が実行することによって起動・生成され、機能するコンピュータ制御手段である。
【００２８】
ＣＰＵ５０は、ＲＯＭ６０に予め格納されている所定の制御プログラムを実行し、上記ウィンドウ表示制御部４０を起動・生成させるマイクロプロセッサである。また、ＲＯＭ６０に予め格納されている所定の制御プログラムを実行し、端末装置１００の図示されていない一般的な機能を制御するマイクロプロセッサでもある。
【００２９】
ＲＯＭ６０は、ＣＰＵ５０が実行することによって上記ウィンドウ表示制御部４０を起動・生成させる制御プログラムを予め格納するリードオンリーメモリである。また、ＣＰＵ５０が実行することによって端末装置１００の図示されていない一般的な機能を制御する制御プログラムを予め格納するリードオンリーメモリである。更に、上記３種類のカーソル形状を表現する制御データを予め格納するリードオンリーメモリでもある。
【００３０】
ＲＡＭ７０は、ＣＰＵ５０が所定の制御プログラムを実行するときに必要になる演算領域を提供するランダムアクセスメモリである。あるいはまた、上記共有アプリケーション管理部３０が必要としているメモリ領域の一部を提供することも可能なランダムアクセスメモリである。
【００３１】
ＦＤＤ８０は、共有アプリケーションとして電子会議システムにおいて用いられる可能性のある会議資料等を予め格納するフロッピーディスク（登録商標）である。共通バス９０は、上記各構成部分を信号接続する信号線路である。以上説明した本発明が適用される端末装置１００は以下のように動作する。
【００３２】
（動作）の説明
図４は、共有アプリケーション設定の動作説明図である。
以下に、本発明を適用した端末装置１００における共有アプリケーション設定の動作についてステップＳ１からステップＳ６までステップ順に説明する。
【００３３】
ステップＳ１
図（ａ）に示すように、これから会議資料として共有化することを目的として利用者が共有対象アプリケーションのウィンドウ２３−１を選択し、表示手段２３（図２）に表示させる。この時点でウィンドウ位置取得手段４２（図２）は、共有対象アプリケーションのウィンドウ２３−１の位置情報を取得しＲＡＭ７０（図２）に記憶する。
【００３４】
ステップＳ２
図（ｂ）に示すように、利用者はカーソルを操作権ボタンＡの位置に移動させてクリックすると、操作権取得手段４１（図２）は、操作権を取得する。このとき操作権管理手段３１（図２）は端末装置１００（図２）が操作権を有していることを認識する。カーソル位置取得手段４３（図２）は、操作者の意思に基づいて移動されたカーソルの表示手段２３（図２）上での位置情報を取得する。カーソル位置が共有対象アプリケーションのウィンドウ２３−１の配置領域内にはないことが判定手段４４  （図２）により判定されるのでこの時点では、図に示すようにカーソルの形状は白矢印で表されている。
【００３５】
ステップＳ３
図（ｂ）に示すように、利用者はカーソルを共有開始ボタンＢの位置に移動させてクリックすると、アプリケーションのウィンドウの共有化が開始される。カーソル位置が共有対象アプリケーションのウィンドウ２３−１の配置領域内にはないことが判定手段４４（図２）により判定されるのでこの時点では、図に示すようにカーソルの形状は白矢印で表されている。
【００３６】
ステップＳ４
図（ｃ）に示すように、このとき利用者がカーソルを共有対象アプリケーションのウィンドウ２３−１の領域内に移動させると、カーソル位置取得手段４３（図２）は、操作者の意思に基づいて移動されたカーソルの表示手段２３（図２）上での位置情報を取得する。判定手段４４（図２）は、操作者の意思に基づいて移動されたカーソルの位置情報と、ウィンドウ位置取得手段４２により取得された共有対象アプリケーションのウィンドウの配置領域の位置情報とを比較し、カーソルの位置が何れかの共有対象アプリケーションのウィンドウ２３−１の配置位置の領域に含まれているか否かを判定する。ここでは、共有対象アプリケーションのウィンドウ２３−１の領域内にカーソルの位置が含まれるのでカーソル形状変更手段４５（図２）は、カーソルの形状を図に示すように円内プラス十字模様に変換する。
【００３７】
ステップＳ５
同様にして利用者がカーソルを共有対象アプリケーションのウィンドウ２３−１の領域外に移動させると、カーソル位置取得手段４３（図２）は、操作者の意思に基づいて移動されたカーソルの表示手段２３（図２）上での位置情報を取得する。判定手段４４（図２）は、操作者の意思に基づいて移動されたカーソルの位置情報と、ウィンドウ位置取得手段４２により取得された共有対象アプリケーションのウィンドウの配置領域の位置情報とを比較し、カーソルの位置が何れかの共有アプリケーションウィンドウの配置位置の領域に含まれているか否かを判定する。ここでは、共有対象アプリケーションのウィンドウ２３−１の領域内にカーソルの位置が含まれていないのでカーソル形状変更手段４５（図２）は、カーソルの形状を図に示すように白円模様に変換する。
【００３８】
ステップＳ６
同様にして利用者がカーソルを共有対象アプリケーションのウィンドウ２３−１の領域内に移動させ、クリックすると、共有アプリケーション選択手段４６（図２）が稼動し、共有対象アプリケーションのウィンドウ２３−１を共有アプリケーションウィンドウ２３−３に設定する。更に、共有アプリケーションウィンドウ２３−３の内容を共有アプリケーション管理手段３２に格納する。このときカーソル形状変更手段４５（図２）は、カーソルの形状を図に示すように白矢印に変換し、共有アプリケーションウィンドウの設定を終了する。
【００３９】
（効果）の説明
以上説明したように、電子会議システムに本発明を適用することによって、共有しようとしているアプリケーションをリストの中から探し出す煩雑さを回避でき、且つ、マウスのクリック動作のみで共有アプリケーションのウィンドウの設定が可能になるので、操作が簡単になるという効果を得る。また、本発明によれば、共有アプリケーションのウィンドウは上記ＡＰ共通表示領域５０５（図５）の設定は必ずしも必要でなくなるという効果を得る。更に、カーソル形状を状態に応じて変換するので、視覚を通じて共有状態を確認することができるという効果を得る。
【図面の簡単な説明】
【００４０】
【図１】本発明を適用した電子会議システムのシステム構成図である。
【図２】端末装置の構成のブロック図である。
【図３】本発明の表示手段の説明図である。
【図４】共有アプリケーション設定の動作説明図である。
【図５】従来技術におけるＡＰ共有の手順説明図である。
【符号の説明】
【００４１】
１０  インタフェース部
２０  データ入出力部
２１  マウス
２２  キーボードスイッチ
２３  表示装置
３０  共有アプリケーション管理部
３１  操作権管理手段
３２  共有アプリケーション管理手段
３３  ウィンドウ位置管理手段
４０  ウィンドウ表示制御部
４１  操作権取得手段
４２  ウィンドウ位置取得手段
４３  カーソル位置取得手段
４４  判定手段
４５  カーソル形状変更手段
４６  共有アプリケーション選択手段
５０  ＣＰＵ
６０  ＲＯＭ
７０  ＲＡＭ
８０  ＦＤＤ
１００  端末装置
４００  ネットワーク
【図１】
2008146584.tif 000003
【図２】
2008146584.tif 000004
【図３】
2008146584.tif 000005
【図４】
2008146584.tif 000006
【図５】
2008146584.tif 000007